(57)【要約】【課題】移動端末装置への着信から応答までの時間の短縮を図った移動通信システムとその基地局装置を提供すること。【解決手段】移動端末ＰＳ１の動作モードとして「特殊待ち受けモード」を導入する。基地局ＣＳ４は移動端末ＰＳ１の位置登録を受ける際に、このモードの設定されていることを認識する。そうすると基地局ＣＳ４は移動端末ＰＳ１の固有ＩＤから着信通知に使用するページングチャネルから、スーパーフレームにおけるページングチャネルのマッピングを算出し、少なくとも２以上のページングチャネルを移動端末ＰＳ１に割り当てる。移動端末ＰＳは、割り当てられたページングチャネルにおいて着信の到来を待ち受ける。【選択図】図４
2009071702.tif 000002
【特許請求の範囲】
【請求項１】
通常待ち受けモードおよび特殊待ち受けモードのいずれかを指定可能な移動端末装置と、この移動端末装置と時分割多重方式で相互に無線アクセスする基地局装置とを具備する移動通信システムであって、
呼び出しエリアにおける一斉呼び出しを行うために用いられるチャネルをページングチャネルと称し、このページングチャネルを複数含み周期的に繰り返される一定期間のフレームをスーパーフレームと称するとき、
前記スーパーフレーム内における前記ページングチャネルを、前記特殊待ち受けモードの移動端末装置に対して規定のルールに基づいて複数割り当てる割り当て制御部と、
この割り当て制御部により割り当てられたページングチャネルにおいて、前記特殊待ち受けモードの移動端末装置に対する一斉呼び出しを行う呼び出し処理部とを備え、
前記移動端末装置は、
前記特殊待ち受けモードにおいて、自装置への着信を前記割り当てられたページングチャネルにおいて待ち受ける待ち受け処理部を備えることを特徴とする移動通信システム。
【請求項２】
前記ルールは、偶数ページングチャネルまたは奇数ページングチャネルのいずれかを割り当てるというルールであることを特徴とする請求項１に記載の移動通信システム。
【請求項３】
さらに、前記基地局装置を収容するゲートウェイ装置を具備し、
このゲートウェイ装置は、従量課金型の第１ネットワークとパケット交換型の第２ネットワークとに接続され、前記第１ネットワークのトラフィックを前記第２ネットワークに迂回させる機能を備えることを特徴とする請求項１に記載の移動通信システム。
【請求項４】
通常待ち受けモードおよび特殊待ち受けモードのいずれかを指定可能な移動端末装置とこの移動端末装置と時分割多重方式で相互に無線アクセスする基地局装置とを具備する移動通信システムに用いられる前記基地局装置であって、
呼び出しエリアにおける一斉呼び出しを行うために用いられるチャネルをページングチャネルと称し、このページングチャネルを複数含み周期的に繰り返される一定期間のフレームをスーパーフレームと称するとき、
前記スーパーフレーム内における前記ページングチャネルを、前記特殊待ち受けモードの移動端末装置に対して規定のルールに基づいて複数割り当てる割り当て制御部と、
この割り当て制御部により割り当てられたページングチャネルにおいて、前記特殊待ち受けモードの移動端末装置に対する一斉呼び出しを行う呼び出し処理部とを備えることを特徴とする基地局装置。
【請求項５】
前記ルールは、偶数ページングチャネルまたは奇数ページングチャネルのいずれかを割り当てるというルールであることを特徴とする請求項４に記載の基地局装置。
【請求項６】
従量課金型の第１ネットワークとパケット交換型の第２ネットワークとに接続され前記第１ネットワークのトラフィックを前記第２ネットワークに迂回させる機能を備えるゲートウェイ装置に収容されることを特徴とする請求項４に記載の基地局装置。
【発明の詳細な説明】
【技術分野】
【０００１】
この発明は、例えばマイクロセル型のＰＨＳ（Personal Handy-phone System）、あるいはマクロセル型のモバイルフォンシステムなどの移動通信システムとその基地局装置に関する。
【背景技術】
【０００２】
周知のように移動通信システムは、個別に無線ゾーンを形成する複数の基地局装置を備える。移動端末装置の呼び出しエリアは、普通、複数の無線ゾーンの集合により形成される。この種のシステムは、セルとも称される無線ゾーンの広さに応じてマイクロセル型とマクロセル型とに大別される。移動端末装置は、呼び出しエリアごとに自己の現在位置をシステムに登録する（位置登録処理）。
【０００３】
システムごとに、無線区間のアクセス方式は種々異なる。例えばＰＨＳにおいては、同じ周波数で時分割される１スロット６２５マイクロ秒（μＳ）で下り・上りそれぞれに４スロットを割り当て、５ミリ秒（ｍＳ）を１周期として２０周期分（１００ミリ秒）を単位とするフレームを構成し、それぞれに制御信号としての用途を割り当てている。
【０００４】
ところで、移動端末装置は、自身に固有のＩＤ（識別子：Identification）をもとに、８つのページングチャネルの中で１つの区間だけで待ち受けをすることで、電力の消費を抑えて内蔵バッテリーを長持ちさせるようにしている。この種の機能はバッテリーセービング機能とも称される。
【０００５】
しかしながら個々のページングチャネルは、移動端末装置ごとに１．２秒といった、比較的長い周期で到来する。これは、何らかの要因で基地局装置からの無線信号を捕らえ損なった場合、移動端末装置は次のページングチャネルが到来するまで１．２秒を待たねばならないことを意味する。次のタイミングにおいても着信処理に失敗した場合には、さらにこの期間を待たねばならない。関連する技術が特許文献１に開示されるが、この文献に開示されるＣＤＭＡ（Code Division Multiplex Access）技術によっては、時分割多重アクセスに特有の本願課題に対処することは難しい。
【特許文献１】特開２００２−３００６５８号公報
【発明の開示】
【発明が解決しようとする課題】
【０００６】
以上述べたように既存の技術では、移動端末装置が個別に用いるページングチャネルがただ１つに限られている。このため着信通知を受信できなかった場合に呼制御処理を開始するまでの応答時間が遅くなり、これを解決するための技術提供が待たれている。近年ではバッテリーの性能も上がり電力消費量に係わる諸元はそれほどシビアではなくなってきているので、消費電力に余裕があればいち早く着信に応じた呼制御処理を開始したいというニーズが高まってきている。  
この発明は上記事情によりなされたもので、その目的は、移動端末装置への着信から応答までの時間の短縮を図った移動通信システムとその基地局装置を提供することにある。
【課題を解決するための手段】
【０００７】
上記目的を達成するためにこの発明の一態様によれば、通常待ち受けモードおよび特殊待ち受けモードのいずれかを指定可能な移動端末装置と、この移動端末装置と時分割多重方式で相互に無線アクセスする基地局装置とを具備する移動通信システムであって、呼び出しエリアにおける一斉呼び出しを行うために用いられるチャネルをページングチャネルと称し、このページングチャネルを複数含み周期的に繰り返される一定期間のフレームをスーパーフレームと称するとき、前記スーパーフレーム内における前記ページングチャネルを、前記特殊待ち受けモードの移動端末装置に対して規定のルールに基づいて複数割り当てる割り当て制御部と、この割り当て制御部により割り当てられたページングチャネルにおいて、前記特殊待ち受けモードの移動端末装置に対する一斉呼び出しを行う呼び出し処理部とを備え、前記移動端末装置は、前記特殊待ち受けモードにおいて、自装置への着信を前記割り当てられたページングチャネルにおいて待ち受ける待ち受け処理部を備えることを特徴とする移動通信システムが提供される。
【０００８】
このような手段を講じることにより、特殊待ち受けモードを指定された移動端末装置にあっては、各スーパーフレーム内において１つではなく複数のページングチャネルが割り当てられる。特殊待ち受けモードの移動端末装置は、この複数割りあてられたページングチャネルにおいて自装置への着信を待ち受ける。従って待ち受けの機会を通常よりも増やせるようになり、着信通知を高速化することが可能になる。すなわち既存技術では移動端末装置ごとに一区間に限られていた無線チャネルが複数化されるので、移動端末装置一台あたりの着信通知を認識できる機会が多くなり、網からの着信に応じた処理をより早期に開始できるようになる。
【発明の効果】
【０００９】
この発明によれば、移動端末装置への着信から応答までの時間の短縮を図った移動通信システムとその基地局装置を提供することができる。
【発明を実施するための最良の形態】
【００１０】
以下、例としてＰＨＳにこの発明を適用した実施の形態を説明する。  
図１は、この発明に係る移動通信システムの実施の形態を示すシステム図である。このシステムは、ＰＨＳの基地局を収容するゲートウェイ１００，２００を中核として形成される。ゲートウェイ１００，２００はいずれも回線交換網ＸＮとＩＰ網ＤＮとに接続され、相互の網のプロトコル変換を行う。すなわち、回線交換網ＸＮは例えばＩＳＤＮ（Integrated Service Digital Network）などの従量課金型ネットワークであるが、この回線交換網ＸＮを流れる信号をＩＰ網ＤＮ側に迂回できれば通信コストを安くできる可能性がある。そこで、ゲートウェイ１００，２００を設けて時分割多重信号とＩＰパケットとを相互に変換し、データ呼や音声呼をＩＰ網ＤＮで中継することでコスト構造の改善を図れ、また高度な新規サービスの導入が可能になる。  
ＩＰ網ＤＮは広域イーサネット（登録商標）やＩＰ−ＶＰＮ（IP - Virtual Private Network）接続サービスなどのパケット通信網であり、ＮＣＣ（New Common Carrier）の独自網などとして形成される。
【００１１】
ゲートウェイ１００は、基地局ＣＳ１〜ＣＳ７を収容する。基地局ＣＳ１〜ＣＳ７はそれぞれマイクロセルの無線ゾーンを展開し、全体でページングエリア（呼び出しエリア）ＰＡ１を展開する。ゲートウェイ２００は基地局ＣＳ８〜ＣＳｍを収容し、これらの基地局はページングエリアＰＡ２を展開する。なおゲートウェイ１００は、各種設定情報などを記憶するデータベース１０１を備える。
【００１２】
各ページングエリアに在圏する移動端末ＰＳと各基地局との間の無線アクセス方式はＰＨＳの標準である時分割多元接続（ＴＤＭＡ：Time Division Multiple Access ）方式、時分割双方向多重（ＴＤＤ：Time Division Duplex）方式が採用される。ページングエリアＰＡ１には移動端末ＰＳ１が在圏し、ページングエリアＰＡ２には移動端末ＰＳ２、ＰＳ３が在圏するとする。このほか図１のシステムは、移動端末ＰＳ１〜ＰＳ３の位置登録データ、課金情報、端末毎に個別契約した端末属性情報などを一元管理する管理サーバ３００を備える。
【００１３】
図２は図１のページングエリアＰＡ１を詳細に示す図である。ページングエリアＰＡ１は、基地局ＣＳ１〜ＣＳ７がそれぞれ個別に展開する無線ゾーン７−ｘ（ｘ＝１，２，…，７）により形成される。各基地局ＣＳ１〜ＣＳ７は自己の無線ゾーン内に在圏する移動端末と無線回線を介して通信する。図１の移動端末ＰＳ１は例えば基地局ＣＳ４の展開する無線ゾーン７−４に在圏し、この基地局ＣＳ４を介してシステムに位置登録する。
【００１４】
図３は、ＰＨＳの無線区間における制御用無線チャネル構成の一例を示す図である。周知のように、同じ周波数を６２５マイクロ秒（μＳ）のスロットに時分割し、下り、上りそれぞれに４スロットを割り当てた５ミリ秒（ｍＳ）が１周期となる。例えば２０周期１００ｍ秒が１つのフレームとなり、各チャネルに制御信号としての用途が割り当てられる。ＢＣＣＨは報知チャネル、ＰＣＨｘ（ｘ：１〜８）はページングチャネル、ＳＣＣＨはシグナリングチャネルである。
【００１５】
最初の１００ｍ秒区間はＢＣＣＨであり、チャネル構造に関する情報、システム情報などをダウンリンクで送信するために用いられる。続く２つの１００ｍ秒区間はページングチャネルであり、基地局装置から移動端末装置に一斉に呼び出しを行うために用いる。次のチャネルは基地局装置と移動端末装置が情報をやり取りするためのＳＣＣＨである。以降、同様のチャネル構成がＰＣＨ８まで続き、８つのページングチャネルを含む１．２秒区間のスーパフレームが形成される。スーパフレームは１．２秒周期で繰り返される。なお同じの呼び出しエリア内の基地局相互間で無線信号が衝突することが無いように、１００ｍ秒区間内においては基地局装置１台あたり１スロットずつが使用される。
【００１６】
以上のスロット構成は、ＰＣＨ数（ｎｐｃｈ）＝２、着信群分けファクタ（ｎｇｒｏｕｐ）＝４  と定義される。着信群の計算にあたり、例えば［ＰＳ番号（下４桁） ｍｏｄ （ｎｐｃｈ＊ｎｇｒｏｕｐ）＋１］なる式を利用できる。なお［Ｘ ｍｏｄ Ｙ］は、ＸをＹで割った余りを意味する。
【００１７】
図４は、移動端末ＰＳ１の実施の形態を示す機能ブロック図である。移動端末ＰＳ２，ＰＳ３も同様である。移動端末ＰＳ１は、アンテナ１１を備える無線部１０と、モデム部２０と、ＴＤＭＡ部３０と、スピーカ４３およびマイクロホン（Ｍ）４４を備える通話部４０と、着信報知部５０と、メモリ部６０と、ユーザインターフェイス部７０と、バッテリ８０と、バッテリ監視部９０と、制御部４００とを備える。
【００１８】
基地局ＣＳから無線通話チャネルを介して送られる無線周波信号はアンテナ１１で受信され、無線部１０の高周波スイッチ（ＳＷ）１２を介して受信部１３に入力される。受信部１３では、この無線周波信号が周波数シンセサイザ１４から発生された受信局部発振信号とミキシングされて受信中間周波信号に周波数変換される。周波数シンセサイザ１４の発振周波数は無線チャネル周波数に応じて制御部４００から指示される。無線部１０には受信電界強度検出部（RSSI）１６が設けられる。この受信電界強度検出部１６では基地局ＣＳから到来する無線周波信号の受信電界強度（ＲＳＳＩ値）が検出され、その検出値は制御部４００に通知される。
【００１９】
受信部１３から出力された受信中間周波信号はモデム部２０の復調部２１に入力される。復調部２１は受信中間周波信号をディジタル復調し、これによりディジタル通話信号が再生される。ＴＤＭＡ部３０のＴＤＭＡデコード部３１では、制御部４００の指示に従ってタイムスロットごとに上記ディジタル通話信号が分解される。この分解された複数のディジタル通話信号のうち、自機宛てのスロットのディジタル通話信号が通話部４０に入力される。
【００２０】
通話部４０は、適応差分ＰＣＭトランスコーダ（ADPCM TRANS CODER）４１とＰＣＭコーデック（PCM CODEC）４２とを備え、ディジタル通話信号はこの適応差分ＰＣＭトランスコーダ４１およびＰＣＭコーデック４２で順次復号されてアナログ通話信号に再生される。そして、このアナログ通話信号は受話増幅器（図示せず）で増幅されスピーカ４３から拡声出力される。
【００２１】
一方、マイクロホン４４に入力された送話音声は、ＰＣＭコーデック４２および適応差分ＰＣＭトランスコーダ４１で順次符号化されてディジタル通話信号となり、ＴＤＭＡエンコード部３２に入力される。ＴＤＭＡエンコード部３２では、適応差分トランスコーダ４１から出力されるディジタル通話信号が制御部４００から指示されたタイムスロットに挿入され、変調部２２に入力される。変調部２２では、ディジタル通話信号により搬送波信号がディジタル変調される。このようにして変調された搬送波信号は、送信部１５に入力される。
【００２２】
送信部１５では、変調された搬送波信号が周波数シンセサイザ１４から発生された送信局部発振信号とミキシングされることにより、制御部４００から指示される無線チャネル周波数に周波数変換されて所定の送信電力レベルに増幅される。そして送信部１５にて周波数変換および信号増幅された無線周波信号は高周波スイッチ１２を介してアンテナ１１から基地局ＣＳに向け送信される。
【００２３】
着信報知部５０は、移動端末ＰＳ１宛てに着信があると制御部４００の制御によりユーザに着信を報知するもので、可聴音を発して報知を行なう発音体５１と、発光により報知を行なう発光体５２と、例えば偏心モータなどにより振動を発生して報知を行なう振動体５３などを備える。
【００２４】
メモリ部６０は半導体メモリを記憶媒体とするもので、この記憶媒体には制御部４００の制御プログラムや認証に必要な自端末のＩＤデータのほか、種々の制御データ、各種設定データ、短縮ダイヤルや電話帳などのダイヤルデータが記憶される。
【００２５】
ユーザインターフェイス部７０は、表示部７１とキー入力部７２とからなる。表示部７１は、自機の状態（発信／着信、バッテリ残量、受信強度）やメモリ部６０から読み出したダイヤルデータなどを例えばＬＣＤ（Liquid Crystal Display）に表示し、ユーザに各種情報を視覚的に示す。
【００２６】
キー入力部７２は、ダイヤル番号入力を行なうためのテンキーなど発着信に関わる通常の機能を実施するためのキーの他、着信報知方法（可聴音／発光／バイブレータ／報知なし）の切り換えなどの各種設定を行なうための機能設定キーを備える。バッテリ８０は、リチウムイオン電池やニッケル水素電池などの二次電池からなるもので、移動端末ＰＳ１に駆動電力を供給する。バッテリ監視部９０はバッテリ８０を監視するもので、このバッテリの残量を検出して制御部４００に通知する。
【００２７】
制御部４００は、マイクロコンピュータを主制御部として備えたもので、図４の各部を制御して移動通信を実現したり、キー入力部７２から与えられるユーザの要求に応じてメモリ部６０に記憶されるダイヤルデータの編集制御などの、種々の制御を行う。
【００２８】
ところで、制御部４００は、この実施形態に係わる処理機能としてモード指定部４００ａと、待ち受け処理部４００ｂとを備える。モード指定部４００ａは、「通常待ち受けモード」および「特殊待ち受けモード」のいずれかの指定を受け、各モードに対応する動作を各部に指示する。「通常待ち受けモード」はいわゆる通常の動作モードであり、図３の８つのページングチャネルのうち１つだけで待ち受けが行われる。どのページングチャネルにて待ち受けを行うかは、移動端末ＰＳ１自身が持つ固有のＩＤ（Identification）に基づいて規定のルールのもとで決定される。
【００２９】
例えば、移動端末ＰＳ１にページングチャネルＰＣＨ８が割り当てられているとする。この状態から移動端末ＰＳ１に着信要求が生じると、基地局ＣＳ１〜ＣＳ７（図２）は、「移動端末ＰＳ１へはＰＣＨ８で着信を通知する」ことを認識し、そのうえでＰＣＨ８のタイムスロットを用いて一斉に着信をかける。一方、移動端末ＰＳ１はＰＣＨ８の区間だけで着信信号を監視すれば良く、他のページングチャネル区間では無線区間を監視する必要がない。このようにスーパーフレームごとに１つのページングチャネルだけを監視し他のページングチャネルでは休止することで、電力の消費を抑えバッテリーの持ちを向上させることができる。  
その反面、着信の捕捉に失敗すると次のチャネルまで待たねばならず、処理が遅くなることがある。そもそも近年の高性能バッテリーにあっては電力消費にそれほど気を使う必要はなく、端末がクレードルに載っている状態や、充電中の状態ではなおさらである。
【００３０】
そこでこの実施形態では、「特殊待ち受けモード」を新規に導入する。このモードはいわば優先着信モードとも称すべきもので、着信捕捉の失敗への耐性を高めることのできるモードである。特殊待ち受けモードに指定された移動端末においては、図３の８つのページングチャネルのうち複数が割り当てられる。待ち受け処理部４００ｂは、この特殊待ち受けモードにおいて、割り当てられた複数のページングチャネルにおいて自装置への着信を前記待ち受ける。
【００３１】
図５は、図１の基地局ＣＳ１〜ＣＳｍの実施の形態を示す機能ブロック図である。すなわち、基地局ＣＳ１〜ＣＳｍは、アンテナＡＮＴと、無線部（ＲＦ）１０２と、通信制御部１０３と、データ交換部１０４と、網インタフェース部１０５と、中央制御部１０６とを備える。
【００３２】
無線部１０２は、アンテナＡＮＴにより移動端末ＰＳ１〜ＰＳ３との間で無線信号の送受信を行う。通信制御部１０３は、通信データの変調や復調等の無線送受信に係わる信号処理及び制御を行う。データ交換部１０４は、ＴＤＭＡ−ＴＤＤ方式に従い複数の送信チャネルへの送信データの多重化や複数の受信チャネルにより受信した受信データの分離処理等を行う。網インタフェース部１０５はゲートウェイ１００との間で送受信データを伝送するためのインタフェース処理を行う。中央制御部１０６は、通信制御部１０３による通信信号処理、データ交換部１０４におけるデータの多重分離処理、網インタフェース部１０５におけるインタフェース処理を統括的に制御する。
【００３３】
中央処理部１０６は、この実施形態に係わる処理機能として割り当て制御部１０６ａと、呼び出し処理部１０６ｂとを備える。割り当て制御部１０６ａは、特殊待ち受けモードの移動端末に対し、図３のスーパーフレーム内におけるページングチャネルを、規定のルールに基づいて複数割り当てる。このルールには、例えば偶数チャネルの全て（ＰＣＨ２，ＰＣＨ４，ＰＣＨ６，ＰＣＨ８）を割り当てる、あるいは奇数チャネルの全て（ＰＣＨ１，ＰＣＨ３，ＰＣＨ５，ＰＣＨ７）を割り当てるなどが考えられる。呼び出し処理部１０６ｂは、割り当て制御部１０６ａにより割り当てられたページングチャネルにおいて、特殊待ち受けモードの移動端末に対する一斉呼び出しを行う。次に、上記構成における動作を説明する。
【００３４】
図６は、この実施形態におけるページングチャネルの割り当てを既存技術と比較して示す図である。図６（ａ）は通常待ち受けモードにおけるページングチャネル割り当てを示し、スーパーフレームごとに１つのページングチャネルが割り当てられる状態が示される。これに対して、特殊待ち受けモードでは待ち受けの機会が飛躍的に増える。
【００３５】
「特殊待ち受けモード」は、例えば移動端末ＰＳにおける専用コードの打ち込み、あるいは特殊機能ボタンの押下などで設定される。この場合、ユーザが特殊待ち受けモードをサービスとして選択的に起動する形態になる。このモードに設定された移動端末ＰＳ１が例えば基地局ＣＳ４の圏内に入ると位置登録処理が開始され、基地局ＣＳ４は移動端末ＰＳ１の固有のＩＤを認識するとともに移動端末ＰＳ１が特殊待ち受けモードであることを識別する。そうすると基地局ＣＳ４は、移動端末ＰＳ１への着信時に使用するページングチャネル群を決定しその情報を内部メモリ（図示せず）に記録する。
【００３６】
移動端末へのページングチャネルの簡単なマッピング例としては例えば図６（ｂ）に示すように、偶数ページングチャネルにおいて待ち受ける、という設定が考えられる。このようにすれば待ち受けの機会は４倍に増え、着信捕捉を逃したとしてもすぐに次のページングチャネルが到来することになる。つまり最初のページングチャネルで着信通知が伝達できなかったとしてもその３００ミリ秒後には次の機会を得ることができ、従ってより早期に着信に応答する処理を実行することができる。この効果は図６（ｃ）のように、奇数ページングチャネルにマッピングする形態でも同様に得られる。
【００３７】
以上説明したようにこの実施形態では、移動端末ＰＳ１の動作モードとして「特殊待ち受けモード」を導入する。基地局ＣＳ４は移動端末ＰＳ１の位置登録を受ける際に、このモードの設定されていることを認識する。そうすると基地局ＣＳ４は移動端末ＰＳ１の固有ＩＤから着信通知に使用するページングチャネルから、スーパーフレームにおけるページングチャネルのマッピングを規定のマッピングルールに基づいて算出し、少なくとも２以上のページングチャネルを移動端末ＰＳ１に割り当てる。移動端末ＰＳは、割り当てられたページングチャネルにおいて着信の到来を待ち受ける。
【００３８】
このようにしたので移動端末ＰＳ１に対する着信の機会が増え、着信に応じた呼制御処理をいち早く開始することができるようになる。つまり従来は移動端末装置ごとに一区間に限られていたページングチャネルを複数化することで、移動端末一台あたりの着信通知を認識できる機会が増える。従って、より早期に網からの着信に応じた処理を開始できるような移動通信システムを提供することが可能となる。このことは、消費電力に余裕のある移動端末装置に対しては特に有効である。これらのことから、移動端末装置への着信から応答までの時間の短縮を図った移動通信システムとその基地局装置を提供することが可能となる。
【００３９】
なお、この発明は上記実施の形態に限定されるものではない。特殊待ち受けモードの設定にあたっては他の種々の方式を考えることができる。例えば、移動端末の購入契約時に通信サービス業者に対して予め登録するようにしても良い。このような形態では、図１の管理サーバ３００に、ユーザごとの特殊待ち受けモードの有無を記憶させるようにする。そして、移動端末ＰＳの位置登録認証時に基地局ＣＳが管理サーバ３００にアクセスして移動端末ＰＳの属性を取得し、記憶する。その結果特殊待ち受けモードの契約があれば、以下、同様にしてページングチャネル割り当て数を増やすようにすれば良い。
【００４０】
また、移動端末ごとのページングチャネル割り当ての属性情報をゲートウェイ１００に記録しても良い。例えば「偶数ページングチャネル群で待ち受ける」との特殊待ち受けモードサービスを起動している移動端末ＰＳ１から基地局ＣＳ４が位置登録要求を受けたとする。そうすると基地局ＣＳ４は移動端末ＰＳ１のページングチャネル割り当てを示す属性情報を基地局ＣＳ４に送信する。これを受けてゲートウェイ１００は受信した属性情報を内部メモリに記録する。
【００４１】
この状態から移動端末ＰＳ１に着信が生じると、ゲートウェイ１００は全ての基地局ＣＳ１〜ＣＳ７にこの属性を通知する。これに応じて基地局ＣＳ１〜ＣＳ７は、通知された属性に従って偶数番号のページングチャネル群で移動端末ＰＳ１に着信をかける。これにより移動端末ＰＳ１は図６（ｂ）に示すように、ＰＣＨ２、ＰＣＨ４、ＰＣＨ６、ＰＣＨ８において待ち受けを行うことが可能になる。
【００４２】
さらに、ページングチャネルの割り当ては、偶数チャネル、奇数チャネルの区別に限らずランダムでも良いし、あるいは連続する任意個数のチャネルを割り当てても良い。この場合、「何個のチャネルを割り当てるか」といった内容を契約書式に盛り込むことにより、詳細な段階にわたるサービス提供を実現できる。
【００４３】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００４４】
【図１】この発明に係る移動通信システムの実施の形態を示すシステム図。
【図２】図１のページングエリアＰＡ１を詳細に示す図。
【図３】ＰＨＳの無線区間における制御用無線チャネル構成の一例を示す図。
【図４】図１の移動端末ＰＳ１〜ＰＳ３の実施の形態を示す機能ブロック図。
【図５】図１の基地局ＣＳ１〜ＣＳｍの実施の形態を示す機能ブロック図。
【図６】この発明の実施形態におけるページングチャネルの割り当てを既存技術と比較して示す図。
【符号の説明】
【００４５】
１００，２００…ゲートウェイ、ＸＮ…回線交換網、ＤＮ…ＩＰ網、ＣＳ１〜ＣＳｍ…基地局、ＰＡ１，ＰＡ２…ページングエリア、１０１…データベース、３００…管理サーバ、ＰＳ１〜ＰＳ３…移動端末、ＡＮＴ…アンテナ、１０２…無線部、１０３…通信制御部、１０４…データ交換部、１０５…網インタフェース部、１０６…中央制御部、１０６ａ…割り当て制御部、１０６ｂ…呼び出し処理部、１１…アンテナ、１０…無線部、２０…モデム部、３０…ＴＤＭＡ部、４３…スピーカ、４４…マイクロホン、４０…通話部、５０…着信報知部、６０…メモリ部、７０…ユーザインターフェイス部、８０…バッテリ、９０…バッテリ監視部、４００…制御部、４００ａ…待ち受け処理部、１２…高周波スイッチ、１３…受信部、１４…周波数シンセサイザ、１６…受信電界強度検出部、２１…復調部、３１…ＴＤＭＡデコード部、４１…適応差分ＰＣＭトランスコーダ、４２…ＰＣＭコーデック、３２…ＴＤＭＡエンコード部、２２…変調部、１５…送信部、５１…発音体、５２…発光体、５３…振動体、６０…メモリ部、７０…ユーザインターフェイス部、７１…表示部、７２…キー入力部、８０…バッテリ、９０…バッテリ監視部
【図１】
2009071702.tif 000003
【図２】
2009071702.tif 000004
【図３】
2009071702.tif 000005
【図４】
2009071702.tif 000006
【図５】
2009071702.tif 000007
【図６】
2009071702.tif 000008